(57)【要約】【課題】商品やサービスを使用する上で、消費者のメリットと、商品の販売拡大とにつながるように活用すること。【解決手段】  包装されている商品（１０）であって、  商品（１０）を包装しているパッケージに、この商品（１０）の活用方法を動画で解説する動画ファイルを特定するＵＲＩを表わす二次元コード（１２）と、前記二次元コード（１２）を端末（２０）で読み取って前記動画ファイルを再生するよう促す情報とを記載したマーク（１１）を設けたことを特徴とする商品。【選択図】図１
2015011499.tif 000002
【特許請求の範囲】
【請求項１】
包装されている商品であって、
商品を包装しているパッケージに、この商品の活用方法を動画で解説する動画ファイルを特定するＵＲＩを表わす二次元コードと、前記二次元コードを端末で読み取って前記動画ファイルを再生するよう促す情報とを記載したマークを設けたことを特徴とする商品。
【請求項２】
前記商品は食料品であって、前記商品の活用方法は、この食料品を食材とする料理のレシピであることを特徴とする請求項１記載の商品。
【請求項３】
受けられるサービスを証するか或いは案内するサービスツールであって、
このサービスの活用方法を動画で解説する動画ファイルを特定するＵＲＩを表わす二次元コードと、前記二次元コードを端末で読み取って前記動画ファイルを再生するよう促す情報とを記載したマークを設けたことを特徴とするサービスツール。
【請求項４】
請求項１〜３のいずれかに記載の二次元コードから、この二次元コードが表わすＵＲＩを読み取り、このＵＲＩで特定される動画ファイルを、ネットワークを介して、この動画ファイルを保管しているサーバから送信してもらい再生することを特徴とする端末。
【請求項５】
端末で、請求項１〜３のいずれかに記載の二次元コードから、この二次元コードが表わすＵＲＩを読み取り、このＵＲＩで特定される動画ファイルを、ネットワークを介して、この動画ファイルを保管しているサーバから送信してもらい再生することを特徴とする方法。
【請求項６】
端末に、請求項１〜３のいずれかに記載の二次元コードから、この二次元コードが表わすＵＲＩを読み取り、このＵＲＩで特定される動画ファイルを、ネットワークを介して、この動画ファイルを保管しているサーバから送信してもらい再生することを実行させることを特徴とするプログラム。
【請求項７】
請求項１〜３のいずれかに記載の二次元コードが表わすＵＲＩで特定される動画ファイルを保管し、端末から、ネットワークを介して、このＵＲＩを受信すると、この動画ファイルを、ネットワークを介して、端末に送信することを特徴とするサーバ。
【請求項８】
サーバで、請求項１〜３のいずれかに記載の二次元コードが表わすＵＲＩで特定される動画ファイルを保管し、端末から、ネットワークを介して、このＵＲＩを受信すると、この動画ファイルを、ネットワークを介して、端末に送信することを特徴とする方法。
【請求項９】
サーバに、請求項１〜３のいずれかに記載の二次元コードが表わすＵＲＩで特定される動画ファイルを保管し、端末から、ネットワークを介して、このＵＲＩを受信すると、この動画ファイルを、ネットワークを介して、端末に送信することを実行させることを特徴とするプログラム。
【発明の詳細な説明】
【技術分野】
【０００１】
本発明は、商品、サービスツール、端末、サーバ、方法、及びプログラムに関する。
【背景技術】
【０００２】
従来、恒常的に商品パッケージに直接印刷されているＱＲコード（登録商標）等の二次元コードは、携帯電話やスマートフォンなどの携帯通信端末で読み取られて、企業のウェブサイトのトップページ、または、特定のページに誘導する活用が、キャンペーンサイトへ一定期間誘導するものを除けば、大多数を占めている。
【０００３】
しかしながら、消費者の視点に立脚した場合、企業のウェブサイトに、二次元コードを携帯通信端末で読み取ってまで閲覧したいと思わせるような商品に直接係るコンテンツが少ないのが実態であり、ましてや、スマートフォンやタブレットが一般化してきている中、企業のウェブサイトのアドレス程度であれば、二次元コードを使用しなくても直接入力することが容易である。
【０００４】
つまり、携帯電話時代の二次元コードの活用がそのまま続いているのが現状といえ、キャンペーン活用を除くと、消費者に魅力的、且つ、商品の販売拡大につながるような活用がなされていないといえる。
【０００５】
ところで、従来、動画メッセージをサーバに記憶させるとともに、このサーバに記憶されているこの動画メッセージに携帯電話機でアクセス可能な二次元コードが印刷されているメッセージカードを、この動画メッセージを送りたい友人などの特定の人に送ることが知られている（例えば特許文献１参照）。
【０００６】
また、従来、携帯電話機で二次元コードを読み込むによってサーバにアクセスして、サーバへ動画ファイルをアップロードし、サーバにて再生ファイルを作成し、サーバからダウンロードすることが知られている（例えば特許文献２参照）。
【０００７】
このように、従来、二次元コードは、商品やサービスを使用する上で、消費者のメリットと、商品の販売拡大とにつながるように活用されてこなかった。
【先行技術文献】
【特許文献】
【０００８】
【特許文献１】実用新案登録第３１４９７８６号公報
【特許文献２】特許第５０４１３１７号公報
【発明の概要】
【発明が解決しようとする課題】
【０００９】
本発明は、このような事情を考慮してなされたもので、二次元コードを、商品やサービスを使用する上で、消費者のメリットと、商品の販売拡大とにつながるように活用することを課題とする。
【課題を解決するための手段】
【００１０】
本発明において上記課題を解決するために、まず請求項１の発明では、
包装されている商品であって、
商品を包装しているパッケージに、この商品の活用方法を動画で解説する動画ファイルを特定するＵＲＩを表わす二次元コードと、前記二次元コードを端末で読み取って前記動画ファイルを再生するよう促す情報とを記載したマークを設けたことを特徴とする商品としたものである。
【００１１】
また請求項２の発明では、
前記商品は食料品であって、前記商品の活用方法は、この食料品を食材とする料理のレシピであることを特徴とする請求項１記載の商品としたものである。
【００１２】
また請求項３の発明では、
受けられるサービスを証するか或いは案内するサービスツールであって、
このサービスの活用方法を動画で解説する動画ファイルを特定するＵＲＩを表わす二次元コードと、前記二次元コードを端末で読み取って前記動画ファイルを再生するよう促す情報とを記載したマークを設けたことを特徴とするサービスツールとしたものである。
【００１３】
また請求項４の発明では、
請求項１〜３のいずれかに記載の二次元コードから、この二次元コードが表わすＵＲＩを読み取り、このＵＲＩで特定される動画ファイルを、ネットワークを介して、この動画ファイルを保管しているサーバから送信してもらい再生することを特徴とする端末としたものである。
【００１４】
また請求項５の発明では、
端末で、請求項１〜３のいずれかに記載の二次元コードから、この二次元コードが表わすＵＲＩを読み取り、このＵＲＩで特定される動画ファイルを、ネットワークを介して、この動画ファイルを保管しているサーバから送信してもらい再生することを特徴とする方法としたものである。
【００１５】
また請求項６の発明では、
端末に、請求項１〜３のいずれかに記載の二次元コードから、この二次元コードが表わすＵＲＩを読み取り、このＵＲＩで特定される動画ファイルを、ネットワークを介して、この動画ファイルを保管しているサーバから送信してもらい再生することを実行させることを特徴とするプログラムとしたものである。
【００１６】
また請求項７の発明では、
請求項１〜３のいずれかに記載の二次元コードが表わすＵＲＩで特定される動画ファイルを保管し、端末から、ネットワークを介して、このＵＲＩを受信すると、この動画ファイルを、ネットワークを介して、端末に送信することを特徴とするサーバとしたものである。
【００１７】
また請求項８の発明では、
サーバで、請求項１〜３のいずれかに記載の二次元コードが表わすＵＲＩで特定される動画ファイルを保管し、端末から、ネットワークを介して、このＵＲＩを受信すると、この動画ファイルを、ネットワークを介して、端末に送信することを特徴とする方法としたものである。
【００１８】
また請求項９の発明では、
サーバに、請求項１〜３のいずれかに記載の二次元コードが表わすＵＲＩで特定される動画ファイルを保管し、端末から、ネットワークを介して、このＵＲＩを受信すると、この動画ファイルを、ネットワークを介して、端末に送信することを実行させることを特徴とするプログラムとしたものである。
【発明の効果】
【００１９】
本発明では、商品を包装しているパッケージ、又は、サービスツールに、この商品又はサービスの活用方法を動画で解説する動画ファイルを特定するＵＲＩを表わす二次元コードと、前記二次元コードを端末で読み取って前記動画ファイルを再生するよう促す情報とを記載したマークを設けたので、この二次元コードが見つけ易くなり、この二次元コードにより、この商品又はサービスの活用方法の解説を動画で閲覧することが容易に行えるという効果がある。
【００２０】
また、本発明では、商品が食料品の場合、この二次元コードにより、この商品の活用方法として、この食料品を食材とする料理のレシピの解説を動画で閲覧することが容易に行えるという効果がある。
【００２１】
また、百聞は一見にしかずという格言があるように、商品やサービスの活用方法、そして料理のレシピは、文字や写真のみで解説されるよりも、動画で解説される方が分かり易く、商品やサービスの理解度を高められるとともに、商品やサービスの愛着やファン化につなげられるという効果がある。
【００２２】
従って、本発明は、二次元コードを、商品やサービスを使用する上で、消費者のメリットと、商品の販売拡大とにつながるように活用できるという効果がある。
【図面の簡単な説明】
【００２３】
【図１】本発明の商品又はサービスツールと端末とサーバとの関係を示す図。
【図２】マークの一例を示す図。
【図３】マークの他の例を示す図。
【図４】二次元コードで表わされているＵＲＩで特定される動画ファイルを再生する処理の流れの例を示すフローチャート。
【発明を実施するための形態】
【００２４】
以下に、本発明の一実施形態を説明する。
【００２５】
図１に示すように、本発明の商品又はサービスツール１０は、端末２０と、サーバ４０とに係わり、端末２０とサーバ４０とはネットワーク３０に接続される。
【００２６】
商品は、食料品、日用品など、物そのものが売り買いの対象となるものであって、その商品を包装しているパッケージに、二次元コード１２が記載されたマーク１１が印刷などにより設けられている。
【００２７】
サービスツールは、例えば、会員証、入場券などのように、受けられるサービスを証する物や、例えば、チラシ、パンフレットなどのように、サービスを案内する物であって、その物に、二次元コード１２が記載されたマーク１１が印刷などにより設けられている。
【００２８】
マーク１１に記載された二次元コード１２は、そのマーク１１が設けられている商品或いはサービスツールが証する或いは案内するサービスの活用方法を動画で解説する動画ファイルを特定するＵＲＩ（Ｕｎｉｆｏｒｍ  Ｒｅｓｏｕｒｃｅ  Ｉｎｄｅｔｉｆｉｅｒ）を表わす。
【００２９】
また、マーク１１には、図２に示すように、端末２０で、そのマーク１１に記載された二次元コード１２から、そのＵＲＩを読み取って、その動画ファイルを再生するよう促す情報が記載されている。
【００３０】
また、マーク１１が設けられている商品が食料品の場合、この食料品の活用方法として、この食料品を食材とする料理のレシピがあり、図３に示すように、そのマーク１１には、その料理のレシピを動画で解説する動画ファイルを特定するＵＲＩを表わす二次元コード１２と、端末２０で、そのマーク１１に記載された二次元コード１２から、そのＵＲＩを読み取って、その動画ファイルを再生するよう促す情報とが記載されている。
【００３１】
端末２０は、スマートフォン、携帯電話機などの携帯通信端末、或いは、タブレット、パソコンなどのコンピュータであって、ＣＣＤカメラを備え、このＣＣＤカメラで、マーク１１に記載されている二次元コード１２から、この二次元コード１２が表わすＵＲＩを読み取り、このＵＲＩで特定される動画ファイルを、ネットワーク３０を介して、サーバ４０から送信してもらい再生するものである。
【００３２】
サーバ４０は、動画ファイルを保管し、端末２０から、ネットワーク３０を介して、この動画ファイルを特定するＵＲＩを受信すると、この動画ファイルを、ネットワーク３０を介して、端末２０に送信するコンピュータである。
【００３３】
またサーバ４０では、同じファイル名で動画ファイルを差し替えることで動画を更新させてゆく。
【００３４】
以下に、二次元コード１２で表わされているＵＲＩで特定される動画ファイルを再生する処理の流れの例を、図４のフローチャートに従って説明する。
【００３５】
Ｓ（ＳＴＥＰ）１；
二次元コード１２から、この二次元コード１２で表わされているＵＲＩを、端末２０で読み取る。
【００３６】
Ｓ（ＳＴＥＰ）２；
端末２０は、読み取ったＵＲＩを、ネットワーク３０を介して、サーバ４０に送信する。
【００３７】
Ｓ（ＳＴＥＰ）３；
サーバ４０は、端末２０から、ネットワーク３０を介して、ＵＲＩを受信する。
【００３８】
Ｓ（ＳＴＥＰ）４；
サーバ４０は、受信したＵＲＩで特定される動画ファイルを、ネットワーク３０を介して、端末２０に送信する。
【００３９】
Ｓ（ＳＴＥＰ）５；
端末２０は、サーバ４０から、ネットワーク３０を介して、動画ファイルを受信する。
【００４０】
Ｓ（ＳＴＥＰ）６；
端末２０は、動画ファイルを再生する。
【符号の説明】
【００４１】
１０…商品又はサービスツール
１１…マーク
１２…二次元コード
２０…端末
３０…ネットワーク
４０…サーバ
【図１】
2015011499.tif 000003
【図２】
2015011499.tif 000004
【図３】
2015011499.tif 000005
【図４】
2015011499.tif 000006